(57)【要約】【課題】建物の開口部の大きさに容易に対応できるとともに、取付け作業が容易であり、しかも、構造的な強度を向上させることができる面格子および面格子の取付け方法を提供する。【解決手段】枠体内に、中間部材２ｄ，３ｄが設けられた面格子構成体２，３を２個有し、面格子構成体２，３どうしがその長手方向にスライド可能となるように組み合されており、この組み合わされた組合せ部Ｋにおいて、前記それぞれの面格子構成体２，３の第１枠材２ｃ，３ｃどうしおよび中間部材２ｄ，３ｄどうしが重なっている。したがって、開口部に容易に対応できるとともに取付作業が容易である。また、曲げ変形に対する抗力を大きくすることができ、よって、面格子１の構造的な強度を効果的に向上させることができる。【選択図】図１
2006063533.tif 000002
【特許請求の範囲】
【請求項１】
建物の開口部に取り付けられる面格子であって、
一対の第１枠材と一対の第２枠材とで形成された四角形状の枠体内に、前記第１枠材の長手方向に沿って長尺な中間部材が設けられた面格子構成体を２個有してなり、
前記面格子構成体どうしが前記第１枠材の長手方向にスライド可能となるように組み合されており、この組み合わされた組合せ部において、前記それぞれの面格子構成体の第１枠材どうしおよび中間部材どうしが重なっていることを特徴とする面格子。
【請求項２】
前記面格子構成体の一方の第２枠材は、前記面格子構成体を前記建物の開口部に取り付けるための取付面を有していることを特徴とする請求項１に記載の面格子。
【請求項３】
前記一方の面格子構成体の他方の第２枠材には、他方の面格子構成体の第１枠材および中間部材がスライド可能に挿通されており、前記他方の面格子構成体の他方の第２枠材には、前記一方の面格子構成体の第１枠材および中間部材がスライド可能に挿通されていることを特徴とする請求項１または２に記載の面格子。
【請求項４】
前記面格子構成体どうしをスライドさせて、最大に延ばした状態で前記面格子構成体の他方の第２枠材どうしが当接することを特徴とする請求項３に記載の面格子。
【請求項５】
前記第１枠材、第２枠材、および中間部材はそれぞれ帯状の板材によって構成されており、この板材はその平面部が前記建物の開口部の内周面と平行となるように配置されていることを特徴とする請求項１〜４のいずれか一項に記載の面格子。
【請求項６】
請求項１〜５のいずれか一項に記載の面格子を、建物の開口部に取り付ける面格子の取付け方法であって、
まず、面格子を構成する一方の面格子構成体の一方の第２枠材を、開口部の対向する一方の内面に当接して取り付け、
次に、他方の面格子構成体をスライドさせて、該面格子構成体の一方の第２枠材を、前記開口部の対向する他方の内面に当接して取り付けることを特徴とする面格子の取付け方法。
【発明の詳細な説明】
【技術分野】
【０００１】
本発明は、戸建て住宅およびマンション、アパート等の集合住宅の窓や扉等の開口部に取り付けられる面格子および面格子の取付け方法に関する。
【背景技術】
【０００２】
防犯上の必要性や、美観を向上しようとする目的で、道路等に面する窓などの建物の開口部に面格子が使用されている。このような面格子として、一体として一品毎に作製される鍛造や、鋳造などによる製品が伝統的に使用されてきた。
これらの製品は例えば鍛造品は手作りとなるため、また鋳造品は金型を手作りする必要があるため高価なものとならざるを得ない。そこで、工業的に量産可能なアルミ押し出し材を、開口部の大きさに合わせてカットして、これらを縦横方向に組み立てて作製する比較的安価な製品が提供されている。
【０００３】
このような比較的安価な面格子の一例として、例えば特許文献１や特許文献２に記載のものが知られている。
特許文献１に記載の面格子は、矩形の枠内に所定形状を備えた格子を有する本体と、本体の裏面側に取り付けられた２本の棒状部材と、２本の棒状部材の少なくとも一方に取り付けられた窓枠への取付け手段と、を具備し、２本の棒状部材の両端は矩形の内側に収まるとともに、棒状部材は矩形の対向する２辺の間に所望の間隔にて互いに平行に、かつ前記対向する２辺に直交する方向に取り付けることができるように構成されているものである。
このような面格子によれば、２本の棒状部材の長さと、格子へ取り付ける間隔とを調整することにより、面格子の大きさ意匠性を損なうことなく、取り付けることができる。
【０００４】
また、特許文献２に記載の面格子は、長縦杆と短縦杆とを交互に配置し、これに連結杆を斜めにして上下に当て、回動自在にリベットで緩着組み立ててなる、伸縮自在の面格子である。
このような面格子では、それを伸縮させることによって、窓等の開口部の大きさに対応させて、該開口部に取り付けることができる。
【特許文献１】特開２００４−２７７２５号公報
【特許文献２】実開昭５５−３５１８５公報
【発明の開示】
【発明が解決しようとする課題】
【０００５】
ところが、特許文献１に記載の面格子は窓枠の外側に取り付けられるものであるため、窓枠の大きさにある程度対応するように、該窓枠より大きめに形成している。したがって、窓枠の大きさによっては対応できない場合もある。この場合、例えば、現場で面格子を切断、組立て直すこともあるが、これでは作業時間が非常にかかるという問題があった。
また、従来の外付けの面格子を２階以上の窓に取り付ける場合には、建物の外側に作業者用の足場を必要として手間がかかるばかりか、密集した土地に建てる戸建て住宅や集合住宅の場合は取付け作業が困難である。
さらに、面格子の取付作業性や意匠性を向上させるために、面格子を比較的薄いアルミニウム板等で形成した場合、鉄棒等を使用して面格子を変形させて、無理やり外側から面格子を取り外されてしまうという可能性もあり、防犯上十分なものではない。
一方、特許文献２に記載の面格子は、伸縮可能であるため、開口部の大きさに対応させることができるが、長縦杆と短縦杆とを交互に配置し、これに連結杆を斜めにして上下に当て、回動自在にリベットで緩着組み立てたものであるため、連結杆の分だけ部材点数が多くなるとともに、短縦枠はその上下端部が自由端であり、しかも、連結杆に緩着されているので、これらの部分が構造的に強度が弱くなり、防犯効果としては十分なものではなかった。
【０００６】
本発明は上記事情に鑑みてなされたものであり、取り付けるべき開口部の大きさに容易に対応できるとともに、取付け作業が容易であり、しかも、構造的な強度を向上させることができる面格子および面格子の取付け方法を提供することを課題としている。
【課題を解決するための手段】
【０００７】
上記課題を解決するために、請求項１に記載の発明は、例えば図１〜図４に示すように、建物の開口部５に取り付けられる面格子であって、
一対の第１枠材と一対の第２枠材とで形成された四角形状の枠体内に、前記第１枠材の長手方向に沿って長尺な中間部材が設けられた面格子構成体２，３を２個有してなり、
前記面格子構成体２，３どうしが前記第１枠材２ｃ，３ｃの長手方向にスライド可能となるように組み合されており、この組み合わされた組合せ部Ｋにおいて、前記それぞれの面格子構成体２，３の第１枠材２ｃ，３ｃどうしおよび中間部材２ｄ，３ｄどうしが重なっていることを特徴とする。
【０００８】
ここで、前記中間部材２ｄ，３ｄは、単数でも複数でもよいが、複数の場合はそれぞれ平行に一定間隔で配置するのが望ましい。
【０００９】
請求項１に記載の発明によれば、２個の面格子構成体２，３どうしがスライド可能となるように組み合されているので、これら面格子構成体２，３どうしをスライドさせることによって、面格子１の長さを開口５部５の大きさに合わせて調整することができる。したがって、取付けるべき開口部５の大きさに容易に対応できるとともに、取付け作業も開口部５の内側から行えるので、外側に足場等も不要であり、取付け作業が容易となる。
また、開口５部の外側ではなく、開口部５の内周面に面格子１を取付けることができるので、面格子１を外側から取り外されてしまうのを極力防止できる。
【００１０】
さらに、面格子構成体２，３どうしがスライド可能となるように組み合された組合せ部Ｋにおいて、それぞれの面格子構成体２，３の第１枠材２ｃ，３ｃどうしおよび中間部材３ｄ，３ｄどうしが重なっているので、面格子１の構造的な強度が向上する。
すなわち、一般的に面格子の長手方向中央部は、横から作用する力によって最も曲げ変形が生じ易い部分であるが、本発明の面格子ではこの部分が前記組合せ部Ｋとなる。この組合せ部Ｋでは、第１枠材２ｃ，３ｃどうしおよび中間部材２ｄ，３ｄどうしが重なっており、しかも組合せ部Ｋに位置する第１枠材２ｃ，３ｃおよび中間部材２ｄ，３ｄの両端部が、一方の面格子構成体２の第２枠材２ｂと他方の面格子構成体３の第２枠材３ｂにそれぞれ支持されているので、前記曲げ変形に対する抗力を大きくすることができる。さらに、組合せ部Ｋの外側に位置する第１枠材２ｃ，３ｃおよび中間部材２ｄ，３ｄの両端部が、面格子構成体２，３の第２枠材２ａ，３ａと面格子構成体３，２の第２枠材３ｂ，２ｂにそれぞれ支持されているので、曲げ変形に対する抗力を大きくすることができる。したがって、面格子１の構造的な強度を効果的に向上させることができる。
【００１１】
請求項２に記載の発明は、請求項１に記載の面格子において、前記面格子構成体２，３の一方の第２枠材２ａ，３ａは、前記面格子構成体２，３を前記建物の開口部５に取り付けるための取付面２２ａ，３３ａを有していることを特徴とする。
【００１２】
請求項２に記載の発明によれば、一方の面格子構成体２の取付面２２ａを、開口部５の対向する一方の内面に当接して取り付け、次に、他方の面格子構成体３をスライドさせて面格子１の長さを開口部５の大きさに合わせて調整したうえで、該他方の面格子構成体３の取付面３３ａを、前記開口部５の対向する他方の内面に当接して取り付けることによって、面格子１を開口部５の大きさに合わせて容易かつ確実に該開口部５に取付けることができる。
【００１３】
請求項３に記載の発明は、請求項１または２に記載の面格子において、前記一方の面格子構成体２の他方の第２枠材２ｂには、他方の面格子構成体３の第１枠材３ｃおよび中間部材３ｄがスライド可能に挿通されており、前記他方の面格子構成体３の他方の第２枠材３ｂには、前記一方の面格子構成体２の第１枠材２ｃおよび中間部材２ｄがスライド可能に挿通されていることを特徴とする。
【００１４】
請求項３に記載の発明によれば、面格子構成体２（３）の第２枠材２ｂ（３ｂ）に、面格子構成体３（２）の第１枠材３ｃ，３ｃ（２ｃ，３ｃ）および中間部材３ｄ（２ｄ）がスライド可能に挿通されているので、面格子構成部材２，３どうしをその長手方向にスライド可能となるように組み合すことが容易であり、面格子１を簡単に伸縮自在の構造とすることができ、製造コストの低減が可能となる。
【００１５】
請求項４に記載の発明は、請求項３に記載の面格子において、前記面格子構成体２，３どうしをスライドさせて、最大に延ばした状態で前記面格子構成体２，３の他方の第２枠材２ｂ，３ｂどうしが当接することを特徴とする。
【００１６】
請求項４に記載の発明によれば、面格子構成体２，３どうしがスライド可能となるように組み合されてなる面格子１は、面格子構成体２，３どうしをスライドさせて、最大に延ばした状態で面格子構成体２，３の他方の第２枠材２ｂ，３ｂどうしが当接するので、２個の面格子構成体２，３どうしが分離するのを防止できる。したがって、面格子１の運搬や取付け作業での取り扱い時に面格子１が分解することがない。
【００１７】
請求項５に記載の発明は、請求項１〜４のいずれか一項に記載の面格子において、前記第１枠材２ｃ，３ｃ、第２枠材２ａ，２ｂ，３ａ，３ｂおよび中間部材２ｄ，３ｄはそれぞれ帯状の板材によって構成されており、この板材はその平面部が前記建物の開口部５の内周面と平行となるように配置されていることを特徴とする。
【００１８】
請求項５に記載の発明によれば、板材はその平面部が前記建物の開口部５の内周面と平行となるように配置されているので、建物の開口部５を正面視した場合において、その開口部５に占める第１枠材２ｃ，３ｃ、第２枠材２ａ，２ｂ，３ａ，３ｂおよび中間部材２ｄ，３ｄの面積を小さくでき、よって、建物の内部に開口部５を通して十分な採光が行え、また、面格子１の剛性を高め歪が生じ難くなる。
【００１９】
請求項６に記載の発明は、請求項１〜５のいずれか一項に記載の面格子１を、建物の開口部５に取り付ける面格子の取付け方法であって、
まず、面格子１を構成する一方の面格子構成体２の一方の第２枠材２ａを、開口部５の対向する一方の内面に当接して取り付け、
次に、他方の面格子構成体３をスライドさせて、該面格子構成体３の一方の第２枠材３ａを、前記開口部５の対向する他方の内面に当接して取り付けることを特徴とする。
【００２０】
請求項６に記載の発明によれば、一方の面格子構成体２の一方の第２枠材２ａを、開口部５の対向する一方の内面に当接して取り付けた後、他方の面格子構成体３をスライドさせて面格子１の長さを開口部５の大きさに合わせて調整したうえで、該面格子構成体３の一方の第２枠材３ａを、前記開口部５の対向する他方の内面に当接して取り付けることによって、面格子１を開口部５の大きさに合わせて容易に該開口部５に取付けることができる。
【発明の効果】
【００２１】
本発明によれば、２個の面格子構成体どうしがスライド可能となるように組み合されているので、取り付けるべき開口部の大きさに容易に対応できるとともに、取付け作業も開口部の内側から行えるので、外側に足場等も不要であり、取付け作業が容易となるとともに、開口部の内周面に面格子を取り付けることができるので、面格子を外側から取り外されてしまうのを極力防止できる。
また、面格子構成体どうしがスライド可能となるように組み合された組合せ部において、それぞれの面格子構成体の第１枠材どうしおよび中間部材どうしが重なっているので、面格子の構造的な強度を効果的に向上させることができる。
【発明を実施するための最良の形態】
【００２２】
以下、図面を参照して本発明の実施の形態について説明する。
図１および図２は本発明に係る面格子の一例を示すものであり、図１は面格子の平面図、図２は面格子の斜視図である。
【００２３】
これらの図に示す面格子１は、２つの面格子構成体２，３によって構成されている。
面格子構成体２は、一対の第１枠材２ｃ，２ｃと一対の第２枠材２ａ，２ｂとを長方形状に組立てて枠体が形成され、この枠体内に第１枠材２ｃの長手に沿って中間部材２ｄが設けられたものであり、一方の第２枠材２ａには、これと直角に交わるプレート２ｅが第２枠材２ａと一体的に形成されている。中間部材２ｄは第１枠材２ｃ，２ｃと平行にかつ第１枠材２ｃ，２ｃ間の中央部に配置されており、その両端部がそれぞれ第２枠材２ａ，２ｂに固定されている。また、一方の第２枠材２ａは、面格子構成体２を建物の開口部に取り付けるための取付面２２ａを有している。第２枠材２ａの左右両端部にはビス孔２ｆ，２ｆが形成されており、このビス孔２ｆ，２ｆは取付面２２ａに開口している。また、他方の第２枠材２ｂの両端部にはそれぞれ貫通孔２ｇ，２ｇが後述するビス孔３ｆ，３ｆとほぼ同軸に形成されている。
なお、面格子構成体２を構成する第１枠材２ｃ，２ｃ、第２枠材２ａ，２ｂ、中間部材２ｄ、プレート２ｅ等は、全て帯状の板材によって形成されており、第２枠材２ｂは第２枠材２ａより縦横の長さが若干長くなっている。
【００２４】
面格子構成体３は、前記面格子構成体２と同様に形成されたものであり、一対の第１枠材３ｃ，３ｃと一対の第２枠材３ａ，３ｂとを長方形状に組立てて枠体が形成され、この枠体内に第１枠材３ｃ長手方向に沿って中間部材３ｄが設けられている。また、一方の第２枠材３ａには、これと直角に交わるプレート３ｅが第２枠材３ａと一体的に形成されている。中間部材３ｄは第１枠材３ｃ，３ｃと平行にかつ第１枠材３ｃ，３ｃ間の中央部に配置されており、その両端部がそれぞれ第２枠材３ａ，３ｂに固定されている。また、一方の第２枠材３ａは、面格子構成体２を建物の開口部に取り付けるための取付面３３ａを有している。第２枠材３ａの左右両端部にはビス孔３ｆ，３ｆが形成されており、このビス孔３ｆ，３ｆは取付面３３ａに開口している。また、他方の第２枠材３ｂの両端部にはそれぞれ貫通孔３ｇ，３ｇが前記ビス孔２ｆ，２ｆとほぼ同軸に形成されている。
なお、面格子構成体３を構成する第１枠材３ｃ，３ｃ、第２枠材３ａ，３ｂ、中間部材３ｄ、プレート３ｅ等は、全て帯状の板材によって形成されており、第２枠材３ｂは第２枠材３ａより縦横の長さが若干長くなっている。
【００２５】
面格子構成体２と面格子構成体３とは、形状、大きさは等しくなっているが、向きを１８０度変えて配置されたうえで、面格子構成体２，３どうしがその長手方向にスライド可能となるように組み合されている。
すなわち、図２に示すように、一方の面格子構成体２の他方の第２枠材２ｂの両端部および中央部にはそれぞれ矩形の貫通孔２ｈ・・・が形成されており、これら貫通孔２ｈ・・・には、面格子構成体３の第１枠材３ｃ，３ｃおよび中間部材３ｄがそれぞれスライド可能に挿通されている。
また、他方の面格子構成体３の他方の第２枠材３ｂの両端部および中央部にはそれぞれ矩形の貫通孔３ｈ・・・が形成されており、これら貫通孔３ｈ・・・には、面格子構成体２の第１枠材２ｃ，２ｃおよび中間部材２ｄがそれぞれスライド可能に挿通されている。
このようにして、面格子構成体２，３どうしはその長手方向にスライド可能に組み合わされている。
【００２６】
そして、この組み合わされた組合せ部Ｋにおいて、それぞれの面格子構成体２，３の第１枠材２ｃ，３ｃどうしおよび中間部材２ｄ，３ｄどうしが厚さ方向に重なっている。すなわち、面格子構成体２，３どうしを組み合わせる場合、これらをその短辺方向に若干ずらして配置することによって、組合せ部Ｋにおいて、右側の第１枠材２ｃ，３ｃどうし、左側の第１枠材２ｃ，３ｃどうし、中央部の中間部材２ｄ，３ｄどうしがそれぞれ短辺方向に重なっている。この場合、重なっている第１枠材２ｃ，３ｃどうし、中間部材２ｄ，３ｄどうしは、それぞれ互いに当接するかまたは若干隙間を持って配置されている。
【００２７】
上記のようして面格子構成体２，３どうしがその長手方向にスライド可能となるように組み合わされているので、これら面格子構成体２，３によって構成されている面格子１は伸縮可能となっている。そして、この面格子１では、面格子構成体２，３どうしを長手方向にスライドさせて、最大に延ばした状態で面格子構成体２，３の他方の第２枠材２ｂ，３ｂどうしが当接するようになっており、この当接した状態で面格子１は最大長となる。
【００２８】
また、上述したように、第１枠材２ｃ，３ｃ、第２枠材２ａ，２ｂ，３ａ，３ｂおよび中間部材２ｄ，３ｄはそれぞれ帯状の板材によって構成されており、この板材はその平面部が建物の開口部５（図３〜図６参照）の内周面と平行となるように配置されている。したがって、建物の開口部５を正面視した場合において、その開口部５に占める第１枠材２ｃ，３ｃ、第２枠材２ａ，２ｂ，３ａ，３ｂおよび中間部材２ｄ，３ｄの面積を小さくでき、よって、建物の内部に開口部５を通して十分な採光が行え、また、面格子１の剛性を高め歪が生じ難くなる。
【００２９】
次に、前記面格子１の製造方法について説明する。
まず、面格子構成体２を構成する第２枠材２ｂの両端部と中央部に貫通孔２ｇ・・・を形成しておく。同様にして、面格子構成体３を構成する第２枠材３ｂの両端部と中央部に貫通孔３ｇ・・・を形成しておく（穿孔工程）。
【００３０】
次に、第２枠材２ｂの両端部と中央部に、第１枠材２ｃ，２ｃと中間部材２ｄとをそれぞれ第２枠材２ｂに対して直角に固定することによって、一方の櫛状体を形成しておく。同様にして、第２枠材３ｂの両端部と中央部に、第１枠材３ｃ，３ｃと中間部材３ｄとをそれぞれ第２枠材３ｂに対して直角に固定することによって、他方の櫛状体を形成しておく（櫛状体製造工程）。
【００３１】
次に、一方の櫛状体の第１枠材２ｃ，２ｃ、中間部材２ｄと、他方の櫛状体の第１枠材３ｃ，３ｃ、中間部材３ｄとを向かい合わせるとともに、一方の櫛状体と他方の櫛状体とを横方向に若干ずらし、さらに、第１枠材２ｃ，２ｃ、中間部材２ｄを、第２枠材３ｂの貫通孔３ｈ・・・に挿通するとともに、第１枠材３ｃ，３ｃ、中間部材３ｄを、第２枠材２ｂの貫通孔２ｈ・・・に挿通することによって、一方の櫛状体と他方の櫛状体とを一体にする（一体化工程）。
【００３２】
次に、一方の櫛状体の第１枠材２ｃ，２ｃ、中間部材２ｄの端部に、第２枠材２ａを直角に固定するとともに、他方の櫛状体の第１枠材３ｃ，３ｃ、中間部材３ｄの端部に、第２枠材３ａを直角に固定することによって、面格子構成体２，３を構成するとともにこれらを組合わせた状態とする（組合せ工程）。
なお、第２枠材２ａ，３ａには、それぞれこれらと直角に交わるプレート２ｅ，３ｅが第２枠材２ａ，３ａと一体的に形成されているので、このプレート２ｅ，３ｅが面格子１の内側に位置するようにして、第２枠材２ａ，３ａを固定する。
【００３３】
これにより、２個の面格子構成体２，３どうしがその長手方向にスライド可能となるように組み合され、この組み合わされた組合せ部Ｋにおいて、それぞれの面格子構成体２，３の第１枠材２ｃ，３ｃどうしおよび中間部材２ｄ，３ｄどうしが重なっており、しかも、面格子構成体２，３どうしが分離不能な状態で一体化されて面格子１が完成する。
【００３４】
次に、前記面格子１を建物の開口部に取り付ける方法について図３〜図６を参照して説明する。なお、図３〜図６は建物の開口部を外側から見た斜視図である。
面格子１を建物の開口部５に取り付ける前の状態では、面格子１の第２枠材２ａ，３ａを最も近づけて面格子１が最小寸法となるように縮小しておく。このようにすすることで、現場へ運搬する際の面格子１の容積を最小とすることができるため、運搬コストが低減される。
面格子１は、面格子１を取り付けるべき窓や扉等の建物の開口部５の大きさや縦横比に応じて、面格子１の伸縮方向を縦横のいずれかに決定する。
【００３５】
例えば、図３に示すように、面格子１を横方向に伸縮する向きにして取り付ける場合には、まず、開口部５と面格子１との隙間６、または面格子１を複数使用する場合には、隣接する面格子１，１の隙間７に、人の手が入らない程度の大きさとなるように、予め面格子１の大きさを選定するとともに、取付位置を決定する。
【００３６】
次に、定められた取付位置にしたがい、面格子１を構成する一方の面格子構成体２の第２枠材２ａの取付面２２ａを、開口部５の内側に設けられている額縁１０の右側の内面１０ａに当接したうえで、ビス孔２ｆ，２ｆにビス１１，１１を差し込んで額縁１０にねじ込むことによって、一方の面格子構成体２を額縁１０に固定する。なお、取付面２２ａを額縁１０の内面１０ａに当接する場合、プレート２ｅの表面が額縁１０の外表面とほぼ面一となるようにして当接する。また、ビス１１，１１をビス孔２ｆ，２ｆに差し込んで、額縁１０にねじ込む場合、ねじ回し用の工具であるドライバの軸を、他方の面格子構成体３の第２枠材３ｂに形成されている貫通孔３ｇを通して行えばよい。
【００３７】
次に、図４に示すように、他方の面格子構成体３を、左側に引っ張ってスライドさせて、該面格子構成体３の第２枠材３ａの取付面３３ａを、前記額縁１０の左側の内面１０ｂに当接したうえで、ビス孔３ｆ，３ｆにビス１１，１１を差し込んで額縁１０にねじ込むことによって、他方の面格子構成体３を額縁１０に固定する。
このようにして、１組の面格子１を建物の開口部５に取り付けるが、その際の作業は建物の内側から行う。
また、面格子１を２組またはそれ以上、開口部５に取り付ける場合は、既に取り付けた面格子１に上下に所定間隔を開けて、次の面格子１を配置して、上記と同様の工程を経て面格子構成体２，３を取り付けることにより行えばよい。
【００３８】
また、図５に示すように、面格子１を縦方向に伸縮する向きにして取り付ける場合には、図３の場合と同様に、定められた取付位置にしたがい、面格子１を構成する一方の面格子構成体２の第２枠材２ａの取付面２２ａを、開口部５の内側に設けられている額縁１０の上側の内面１０ｃに当接したうえで、ビス孔２ｆ，２ｆにビス１１，１１を差し込んで額縁１０にねじ込むことによって、一方の面格子構成体２を額縁１０に固定する。なお、取付面２２ａを額縁１０の内面１０ｃに当接する場合、プレート２ｅの表面が額縁１０の外表面とほぼ面一となるようにして当接する。また、ビス１１，１１をビス孔２ｆ，２ｆに差し込んで、額縁１０にねじ込む場合、ねじ回し用の工具であるドライバの軸を、他方の面格子構成体３の第２枠材３ｂに形成されている貫通孔３ｇを通して行えばよい。
【００３９】
次に、図６に示すように、他方の面格子構成体３を、下側に引張るかまたは自重によって下降させることによって、スライドさせて、該面格子構成体３の第２枠材３ａの取付面３３ａを、前記額縁１０の下側の内面１０ｄに当接したうえで、ビス孔３ｆ，３ｆにビス１１，１１を差し込んで額縁１０にねじ込むことによって、他方の面格子構成体３を額縁１０に固定する。
このようにして、１組の面格子１を建物の開口部５に取り付けるが、その際の作業は図３および図４の場合と同様に、建物の内側から行う。
また、面格子１を２組またはそれ以上、開口部５に取り付ける場合は、既に取り付けた面格子１に左右に所定間隔を開けて、次の面格子１を配置して、上記と同様の工程を経て面格子構成体２，３を取り付けることにより行えばよい。
【００４０】
本実施の形態によれば、２個の面格子構成体２，３どうしがその長手方向にスライド可能となるように組み合されているので、これら面格子構成体２，３どうしをスライドさせることによって、面格子１の長さを開口部５の大きさに合わせて調整することができる。したがって、取り付けるべき開口部５の大きさに容易に対応できるとともに、取付け作業も開口部５の内側から行えるので、外側に足場等も不要であり、取付け作業が容易となる。
また、開口部５の外側ではなく、開口部５の内周面（額縁１０の内面）に面格子１を取り付けることができるので、面格子１を外側から取り外されてしまうのを極力防止できる。
さらに、面格子構成体２，３の第２枠材２ａ，３ａに、プレート２ｅ，３ｅが直角に形成されており、このプレート２ｅ，３ｅによって、面格子取付用のビス１１の頭部が隠されるので、面格子１としての意匠性も向上するとともに、外側からはドライバ等を用いてもビス１１を外し難くなるので、面格子１の防犯性がさらに向上する。
【００４１】
また、図１および図２に示すように、面格子構成体２，３どうしがその長手方向にスライド可能となるように組み合された組合せ部Ｋにおいて、それぞれの面格子構成体２，３の第１枠材２ｃ，３ｃどうしおよび中間部材２ｄ，２ｄどうしが重なっているので、面格子１の構造的な強度が向上する。
すなわち、一般的に面格子の長手方向中央部は、横から作用する力（面格子を構成する板材の厚さ方向に作用する力）によって最も曲げ変形が生じ易い部分であるが、本実施の形態の面格子１では、この部分が組合せ部Ｋとなる。
そして、この組合せ部Ｋでは、第１枠材２ｃ，３ｃどうしおよび中間部材２ｄ，３ｄどうしが厚さ方向に重なっており、しかも組合せ部Ｋに位置する第１枠材２ｃ，３ｃおよび中間部材２ｄ，３ｄの両端部が、一方の面格子構成体２の第２枠材２ｂと他方の面格子構成体３の第２枠材３ｂとにそれぞれ支持されているので、曲げ変形に対する抗力を大きくすることができる。さらに、組合せ部Ｋの外側に位置する第１枠材２ｃ，３ｃおよび中間部材２ｄ，３ｄの両端部が、面格子構成体２，３の第２枠材２ａ，３ａと面格子構成体３，２の第２枠材３ｂ，２ｂにそれぞれ支持されているので、曲げ変形に対する抗力を大きくすることができる。
つまり、面格子１の長手方向中央部では、面格子１を構成する板材（第１枠材２ｃ，３ｃ、中間部材２ｄ，３ｄ）の厚さが２倍となり、しかもそれらの両端部が第２枠材２ｂ，３ｂで支持されており、さらに、中央部より外側では板材の両端部が第２枠材２ａ，３ｂおよび第２枠材３ａ，２ｂによって支持されているので、曲げ変形に対する抗力を大きくすることができる。したがって、面格子１の構造的な強度を効果的に向上させることができる。
【００４２】
また、面格子構成体２，３どうしを長手方向にスライドさせて、最大に延ばした状態で面格子構成体２，３の他方の第２枠材２ｂ，３ｂどうしが当接するので、２個の面格子構成体２，３どうしが分離するのを防止できる。したがって、面格子１の運搬や取付け作業での取り扱い時に面格子１が分解することがない。
【００４３】
なお、本実施の形態の面格子１は、建物の開口部であれば、特にその取付場所が限定されることはなく、窓にも扉にも適用できるものである。したがって、窓や扉の内側に本実施の形態にかかる面格子１を取り付ければ、窓に防犯用面格子を備えた窓構造が完成し、防犯効果の高い建物を提供できる。
また、本実施の形態の面格子１を構成する面格子構成体２（３）では、第１枠材２ｃ，２ｃ（３ｃ，３ｃ）間に、１つの中間部材２ｄ（３ｄ）を設けたが、中間部材は面格子の大きさに応じて２つ以上設けてもよい。
【図面の簡単な説明】
【００４４】
【図１】本発明に係る面格子の一例を示すもので、その平面図である。
【図２】同、面格子の斜視図である。
【図３】本発明に係る面格子の取付け方法を示すもので、横向きに面格子の一方の面格子構成体を取り付けた状態を示す斜視図である。
【図４】同、横向きに面格子の両方の面格子構成体を取り付けた状態を示す斜視図である。
【図５】同、縦向きに面格子の一方の面格子構成体を取り付けた状態を示す斜視図である
【図６】同、縦向きに面格子の両方の面格子構成体を取り付けた状態を示す斜視図である。
【符号の説明】
【００４５】
１  面格子
２，３面格子構成体
２ａ，３ａ  第２枠材
２ｂ，３ｂ  第２枠材
２ｃ，３ｃ  第１枠材
２ｄ，３ｄ  中間部材
５  開口部
２２ａ，３３ａ  取付面
【図１】
2006063533.tif 000003
【図２】
2006063533.tif 000004
【図３】
2006063533.tif 000005
【図４】
2006063533.tif 000006
【図５】
2006063533.tif 000007
【図６】
2006063533.tif 000008